(57)【要約】      （修正有）【課題】小型乾電池を収納した乾電池ホルダーの通電性が直接使用する場合とほとんど変わらないようにする。【解決手段】乾電池ホルダーは、乾電池収納部に適合する大きさを有する筒型のケース本体１であって、その一端部には進退自在に陽極端子２が貫通保持され、前記陽極端子に陽極を向けた小型の乾電池Ｂの外周を挟持するバネ爪４ａ、４ｂ、４ｃが内部に設けられているとともに、前記バネ爪の遊端には、小型の乾電池を前記陽極端子に向かって押圧挿入するとその外周に回り込むように案内する案内面５ａ、５ｂ、５ｃが形成してある。【選択図】図３
2006190504.tif 000002
【特許請求の範囲】
【請求項１】
小型の乾電池を大型の所定乾電池収納部に装填する為の乾電池ホルダーであって、乾電池収納部に適合する大きさを有する筒型のケース本体であって、その一端部には進退自在に陽極端子が貫通保持され、前記陽極端子に陽極を向けた小型の乾電池の外周を挟持するバネ爪が内部に設けられているとともに、前記バネ爪の遊端には、小型の乾電池を前記陽極端子に向かって押圧挿入するとその外周に回り込むように案内する案内面が形成してあることを特徴とする乾電池ホルダー
【請求項２】
請求項１に記載の乾電池ホルダーであって、前記バネ爪による挟持位置は、前記陽極端子を最も押込んだ位置では、これに陽極が接する小型乾電池の外周が外れるように設定してあることを特徴とする乾電池ホルダー
【請求項３】
請求項１又は２に記載の乾電池ホルダーであって、内部に収納する小型の乾電池を前記バネ爪と稼動陽極端子に案内するリブが設けてあることを特徴とする乾電池ホルダー
【発明の詳細な説明】
【技術分野】
【０００１】  本発明は、小型の乾電池を大型の所定乾電池収納部に装填する為の乾電池ホルダーに関する。
【背景技術】
【０００２】  この種乾電池ホルダーは、実開平６−７７１５５号、実開平６−２８９９０号等多くの出願がなされているが、未だ実用的に十分といえるものがなかった。
その理由は、収納する乾電池と機器との通電性が、直接使用する場合に比べて著しく劣っていたからである。
【発明の開示】
【発明が解決しようとする課題】
【０００３】
【０００４】  本発明はこのような実情に鑑み、収納した小型乾電池の通電性が直接使用する場合とほとんど変わらないようにすることを目的とする。
【課題を解決するための手段】
【０００５】  本発明の乾電池ホルダーは、この目的を達成するために、乾電池収納部に適合する大きさを有する筒型のケース本体であって、その一端部には進退自在に陽極端子が貫通保持され、前記陽極端子に陽極を向けた小型の乾電池の外周を挟持するバネ爪が内部に設けられているとともに、前記バネ爪の遊端には、小型の乾電池を前記陽極端子に向かって押圧挿入するとその外周に回り込むように案内する案内面が形成してあることを特徴とする乾電池ホルダー構成を採用した。
【発明の効果】
【０００６】  このように構成することにより、小型の乾電池を収納するときは、バネ爪が弾性変形して小型乾電池の外周に回り込むとともに、その陽極が陽極端子に押し付けられることとなる。それとともに小型乾電池はバネ爪で挟持されることとなる。この結果、陽極端子と小型電池の陽極とは強く圧接されたままの状態で保持されることなりその通電性は最良の状態となる。また、陽極端子は突出状態となってバネ爪で保持された小型電池により保持されることとなる。
使用が終了した場合は、前記陽極端子を強く押し込むことにより小型電池が外側へ押し出されて取りはずことができるようになる。【０００７】  さらに、前記バネ爪による挟持位置は、前記陽極端子を最も押込んだ位置では、これに陽極が接する小型乾電池の外周が外れるように設定してある構成を採用することで、以下のように取出しが容易になる。つまり、陽極端子を押込むことによりバネ爪が外れるので、小型乾電池の抜き出しはバネ爪により抵抗を受けずに容易に取り出すことが出来るようになる。【０００８】  そして、内部に収納する小型の乾電池を前記バネ爪と稼動陽極端子に案内するリブが設けてあるので、小型乾電池を装填するのに、所定の位置に容易に挿入することが出来るようになった。
【発明を実施するための最良の形態】
【０００９】  以下に、本発明の最良の実施形態を例示するが、本発明はこれによって限定されるものではない。
【実施例】
【００１０】  （１）ホルダー本体で、単一乾電池と同じ直径の円筒状体であって、一端が開放され、他端は閉止されている。
ホルダー（１）の内部閉止端側には、外部に突出可能にして陽極端子（２）を進退自在に保持し、かつバネ爪（４ａ）（４ｂ）（４ｃ）を一体成型してあるバネホルダー（４）が嵌め込み固定してある。
前記陽極端子（２）の内端（２ａ）の周囲には外れ止めディスク（２ｂ）が一体固定してある。
前記バネ爪（４ａ）（４ｂ）（４ｃ）は前記陽極端子（２）を囲むように配置してある。【００１１】  このバネ爪（４ａ）（４ｂ）（４ｃ）の相向い合う面は、単三乾電池（Ｂ）の直径より小さい仮想円に自由状態で接するように挟持面（６ａ）（６ｂ）（６ｃ）に形成してある。
またその遊端部の最頂部（ホルダー本体（１）の開放端側）は、単三乾電池（Ｂ）の直径より大きい仮想円に位置するようにし、それから前記挟持面（６ａ）（６ｂ）（６ｃ）に向かって連続する案内面（５ａ）（５ｂ）（５ｃ）に形成してある。【００１２】  前記本体（１）の内側には３本のリブ（３ａ）（３ｂ）（３ｃ）が設けてある。
このリブ（３ａ）（３ｂ）（３ｃ）は、単三乾電池（Ｂ）を前記バネ爪（４ａ）（４ｂ）（４ｃ）の間に向かって案内するためのものである。【００１３】  単三乾電池（Ｂ）をその陽極（Ｂ１）を内側に向けてホルダー（１）の開放端から内部に挿入すると、前記バネ爪（４ａ）（４ｂ）（４ｃ）の頂点に衝突する。
この状態で、単三乾電池（Ｂ）を強く押し込むと、前記案内面（５ａ）（５ｂ）（５ｃ）によって前記バネ爪（４ａ）（４ｂ）（４ｃ）が弾性変形しながら押し広げられ、前記単三乾電池（Ｂ）の外周に前記挟持面（６ａ）（６ｂ）（６ｃ）がいたる事となる。
この結果、前記単三乾電池の陽極（Ｂ１）は前記陽極端子（２）の内端（２ａ）に強く圧接されるとともに、この状態で、単三乾電池（Ｂ）はホルダー本体（１）に確保されることなる。
つまり、単三乾電池（Ｂ）は、その陽極（Ｂ１）と陽極端子（２ａ）を圧接した状態で一体化に近い状態で確保されることとなる。
なお、前記陽極端子（２）の長さは、その外側頂点からこのホルダー（１）に確保された単三乾電池（Ｂ）の陰極までの長さと単一乾電池の陽極から陰極までの長さと同じになるように設定してある。【００１４】  このバネ爪（４ａ）（４ｂ）（４ｃ）の突出長さは、前記陽極端子（２）を最大限に押し込んだとき（図３中実線で示す状態）にセットされている単三乾電池（Ｂ）の外周が前記挟持面（６ａ）（６ｂ）（６ｃ）から外れるように設定してある。【００１５】  このようにして、陽極端子（２）を強く押し込むことで、セットされた単三乾電池（Ｂ）を前記バネ爪（４ａ）（４ｂ）（４ｃ）による挟持から開放するようにしてある。
図中（Ｓ）は電気器具（図外）に設けてある電池収納部の陰極バネである。
【産業上の利用可能性】
【００１６】  本発明は、小型の乾電池を大型乾電池仕様の電気機器に利用できるのみならず、従来問題であった導電性の劣化おもなくしえたものである。
【図面の簡単な説明】
【００１７】
【図１】  実施例を示す正面図
【図２】  実施例を示す背面図
【図３】  図２のＡ−Ａ断面を示す縦断側面図
【符号の説明】
【００１８】  （１）  ホルダー本体
（２）  陽極端子
（２ａ）  陽極端子の内端
（２ｂ）  外れ止めディスク
（３ａ）（３ｂ）（３ｃ）  案内リブ
（４）  バネホルダー
（４ａ）（４ｂ）（４ｃ）  バネ爪
（５ａ）（５ｂ）（５ｃ）  案内面
（６ａ）（６ｂ）（６ｃ）  挟持面
（Ｂ）  単三乾電池
（Ｂ１）  陽極
（Ｓ）  陰極バネ
【図１】
2006190504.tif 000003
【図２】
2006190504.tif 000004
【図３】
2006190504.tif 000005